(57)【特許請求の範囲】
【請求項１】
電磁波を送受信するアンテナ部と、探査映像を表示する表示部と、を装置本体部に有するハンディタイプの埋設物探査装置において、
前記表示部の表示の上下を手動で反転する表示反転手段を備えたことを特徴とする埋設物探査装置。
【請求項２】
電磁波を送受信するアンテナ部と、探査映像を表示する表示部と、を装置本体部に有するハンディタイプの埋設物探査装置において、
装置本体部内にこの装置本体部の天地方向を検出する本体方向検出手段と、
埋設物の探査において装置本体部の天地方向上下関係が予め定めた姿勢と逆になった場合、前記本体方向検出手段でこれを検出し、前記表示部の表示の上下を自動的に反転する表示反転手段と、
を備えたことを特徴とする埋設物探査装置。
【発明の詳細な説明】
【０００１】
【発明の属する技術分野】
本発明は埋設物探査装置、特にアンテナ部および表示部が一体となった小型ハンディタイプの埋設物探査装置の測定データ表示技術に関する。
【０００２】
【従来の技術】
図３は、アンテナ部および表示部が一体となったこの種の埋設物探査装置の一例を示す図である。図３において、１は装置本体、２は表示部、３は握持部、４はスイッチ部、５は走行用の車輪、１０３は探査映像である。小型ハンディタイプの埋設物探査装置は図３に示すように構成され、例えばコンクリート壁に埋設された埋設管を探査しようとする場合、電源スイッチをＯＮし、装置本体１を横向きにして握持部３を握って図４に示すように壁面１０１を走行させる。
【０００３】
電源スイッチがＯＮされると、装置本体１に設けられた図示しないアンテナ部から電磁波が下方へ送信され、埋設管１０２で反射した反射波がアンテナ部で受信され、表示部２に探査映像１０３が表示される。
測定中の装置本体１の移動距離は車輪５で計測されており、また電磁波の送受信時間から埋設管１０２の埋設深度が計測でき、表示部２には例えば装置進行方向を基準として縦軸に距離メモリ（単位ｍ）、横軸に深度メモリ（単位ｃｍ）が表示され、従って探査映像１０３が表示部２の何処に表示されるかによって埋設管１０２までの距離と深度とが判るようになっている。
【０００４】
【発明が解決しようとする課題】
従来のこの種の埋設物探査装置は以上のように構成され動作するが、以下のような問題点がある。
例えばコンクリート壁１００に埋設された埋設管１０２の探査を行う場合、図４の矢印（Ａ）に示すように握持部３を手に持って装置本体１を壁面１０１右から左に走行させ、次に矢印（Ｂ）に示すように装置本体１の上下関係を逆にして左から右に走行させる等、一般的に同じ場所を複数回方向を変えて探査する場合がある。
図５は、図４の矢印（Ａ），（Ｂ）で行った探査によりそれぞれ表示部２に表示される測定データを示す図であるが、従来の埋設物探査装置では表示部２に表示する測定データの向きが固定されているため、図５に示すように測定方向によって表示データが１８０度回転し、埋設管の映像及び深度が逆向きになる。
従って視覚的な違和感が生じ、また深度表示の場合には表示目盛りが全く逆になるので、視覚的な違和感だけでなく誤認識する恐れがある等の問題点があった。
【０００５】
本発明はかかる問題点を解決するためになされたものであり、測定方向が逆になり装置本体の上下関係が反対になっても、装置使用者を基準として視覚的に違和感なく測定データの表示が行える埋設物探査装置を提供することを目的としている。
【０００６】
【課題を解決するための手段】
本発明に係わる埋設物探査装置は、電磁波を送受信するアンテナ部と、探査映像を表示する表示部と、を装置本体部に有するハンディタイプの埋設物探査装置において、前記表示部の表示の上下を手動で反転する表示反転手段を備えたことを特徴とする。
【０００７】
また、電磁波を送受信するアンテナ部と、探査映像を表示する表示部と、を装置本体部に有するハンディタイプの埋設物探査装置において、装置本体部内にこの装置本体部の天地方向を検出する本体方向検出手段と、埋設物の探査において装置本体部の天地方向上下関係が予め定めた姿勢と逆になった場合、前記本体方向検出手段でこれを検出し、前記表示部の表示の上下を自動的に反転する表示反転手段と、を備えたことを特徴とする。
【０００８】
本発明の埋設物探査装置は上述のような構成とすることにより、反対方向の探査で装置の上下関係が逆向きになった場合でも、装置使用者を基準として視覚的に違和感なく測定データの表示が行えるようになる。
【０００９】
【発明の実施の形態】
以下、本発明の実施の形態を図面を参照して説明する。
図１は、本発明の埋設物探査装置を説明するための装置構成を示すブロック図である。
図１において、図３と同一符号は同一又は相当する部分を示し、１０は本体回路部で、この本体回路部１０は表示回路１１，演算回路１２，電磁波送受信回路１３等により構成されている。
また２０は電磁波を送受信するアンテナ部である。
【００１０】
電源スイッチがＯＮされると、アンテナ部２０からは電磁波が下方へ送信され、埋設管で反射した反射波が受信され、表示回路１１により表示部２に探査映像１０３が表示される。
測定中の装置本体１の移動距離は車輪５の回転数から演算回路１２で計測されており、また電磁波送受信回路１３における電磁波の送受信時間から演算回路１２で埋設管１０２までの深度が計測され、表示部２には例えば装置進行方向を基準として縦軸に距離メモリ（単位ｍ）、横軸に深度メモリ（単位ｃｍ）が設けられており、表示回路１１により探査映像１０３が表示部２に表示されるが、何処に表示されるかによって埋設管１０２までの距離と深度とが判るようになっている。
ここまでの構成は従来の埋設物探査装置と同様である。
【００１１】
３０は装置本体１の向きを検出する本体方向検出装置（本明細書では本体方向検出手段とも言う）であり、測定中の装置本体の向きを検出し、上下関係が反対になった場合には（例えば図４で矢印（Ａ）方向の探査を行っている姿勢を正方向、矢印（Ｂ）方向の探査を行っている姿勢を反対方向とする）、その旨の信号を表示反転部４０へ出力する動作を行う。
なおこの本体方向検出装置３０は、天地方向の正逆を検出する既存の検出器を用いることができ、壁面１０１の探査のように装置本体１が横向きになって探査する場合にのみ正逆の検出を行う構成とできる。
【００１２】
４０は表示反転部であり、本体方向検出装置３０あるいは手動反転スイッチ５０からの信号が入力されたときに表示回路１１へコマンドを送出し、表示部２の測定データの表示方向を上下反転する動作を行う。
５０は手動により測定データの表示方向を反転したい場合に操作する手動反転スイッチであり、これらの本体方向検出装置３０，表示反転部４０，手動反転スイッチ５０が本発明の埋設物探査装置で付加された部分である。
なお本明細書では本体方向検出装置３０及び表示反転部４０とを自動表示反転手段とも言い、表示反転部４０と手動反転スイッチ５０とを手動表示反転手段とも言う。
【００１３】
図２は、本発明の埋設物探査装置における表示部２の表示動作を示す図であり、従来の装置の図５に対応する図である。
電源がＯＮされ、図４に示すようなコンクリート壁１００の探査のため装置本体が横向き姿勢となった場合、本体方向検出装置３０はその上下関係が予め定めた正方向であるか反対方向であるかを判断し、反対方向である場合、表示反転部４０へ信号を出力し、表示反転部４０が表示回路１１を動作させて、距離目盛り及び深度目盛りの表示を上下反転し、反転後の距離及び表示目盛りに合わせて探査映像１０３を表示する。
【００１４】
すなわち図２及び図５の比較から明らかなように、正方向（Ａ方向）の探査においては、距離目盛りが表示部２上部に表示され、深度目盛りが下方に向かうに従って深く表示されているので、反対方向（Ｂ）方向の探査で装置本体１の上下関係が逆になった場合でも距離目盛りを表示部２上部に表示し、深度目盛りを下方に向かうに従って深くなるように反転して表示する。そして、これに合わせて探査映像１０３の表示を行う。
従って装置本体１の上下関係を逆にして探査を行う場合でも測定データの表示が自動的に反転され、装置使用者にとって違和感なく表示され、誤認識する恐れも防止できるようになる。
【００１５】
また表示部２の表示方向の相違は、あくまでも装置使用者の使い勝手の問題でもあるので、上述のように自動的に反転を行うのではなく、表示反転スイッチ５０を操作した場合に手動で反転する構成としても良い。
【００１６】
【発明の効果】
以上説明したように本発明の埋設物探査装置は、探査方向によって表示部に表示される測定データを自動で、あるいは手動により上下反転できるので、装置使用者を基準として視覚的に違和感なく表示でき、誤認識を防止できる等の効果がある。
【図面の簡単な説明】
【図１】本発明の埋設物探査装置を説明するための装置構成を示すブロック図である。
【図２】本発明の埋設物探査装置における表示部の表示動作を示す図である。
【図３】この種の埋設物探査装置の一例を示す図である。
【図４】この種の埋設物探査装置における探査動作を説明するための図である。
【図５】従来の埋設物探査装置における測定データの表示を説明するための図である。
【符号の説明】
１  装置本体
２  表示部
３  握持部
４  スイッチ部
５  走行用の車輪
１０  本体回路部
１１  表示回路
１２  演算回路
１３  電磁波送受信回路
２０  アンテナ部
３０  本体方向検出装置
４０  表示反転部
５０  手動反転スイッチ
１００  コンクリート壁
１０１  壁面
１０２  埋設管
１０３  探査映像
【図１】
0003930152.tif 000002
【図２】
0003930152.tif 000003
【図３】
0003930152.tif 000004
【図４】
0003930152.tif 000005
【図５】
0003930152.tif 000006